(57)【要約】【課題】発光構造の外に設けられる電極に透光性電極を用いて、素子の低抵抗化、高出力化、高電力効率化（ｌｍ／Ｗ）、高い量産性・低コスト化、の少なくともいずれか、好ましくはその多くを実現する発光素子を提供する。【解決手段】第１，２導電型半導体層を含む半導体構造に、発光構造部と、第１導電型半導体層、発光構造部の第２導電型半導体層に各々設けられた第１電極、第２電極と、第２導電型半導体層上の少なくとも一部に形成された透光性絶縁膜と、を有し、第２電極が、第２導電型半導体層の少なくとも一部を被覆する透光性導電膜の第１層と、透光性絶縁層上の少なくとも一部に設けられ、第１層に導通する第２層と、を有し、第１層の表面側と、透光性絶縁膜と半導体構造の境界領域と、にそれぞれ光反射部が形成され、透光性絶縁膜の第２層側表面が、第１層の表面より半導体構造から離れている半導体発光素子。【選択図】図１Ａ
2008192710.tif 000002
【特許請求の範囲】
【請求項１】
第１，２導電型半導体層を含む半導体構造に、発光構造部と、該第１導電型半導体層、該発光構造部の第２導電型半導体層に各々設けられた第１電極、第２電極と、
前記第２導電型半導体層上の少なくとも一部に形成された透光性絶縁膜と、を有し、
前記第２電極が、前記第２導電型半導体層の少なくとも一部を被覆する透光性導電膜の第１層と、前記透光性絶縁層上の少なくとも一部に設けられ、第１層に導通する第２層と、を有し、
前記第１層の表面側と、前記透光性絶縁膜と前記半導体構造の境界領域と、にそれぞれ光反射部が形成され、
前記透光性絶縁膜の前記第２層側表面が、前記第１層の表面より半導体構造から離れている半導体発光素子。
【請求項２】
前記半導体構造の第１層側表面からλ／２ｎ１（λは発光素子の発光波長、ｎ１は第１層の屈折率）の距離内に前記被覆領域の第１層表面を、前記半導体構造の透光性絶縁膜側表面からλ／２ｎ２（ｎ２は透光性絶縁膜の屈折率）の距離外に前記透光性絶縁膜の第２層側表面を、それぞれ備えている請求項１記載の半導体発光素子。
【請求項３】
前記第１層の表面の上に、絶縁性の透光性部材を有し、前記透光性絶縁膜の第２層側表面が、前記透光性部材の半導体構造側表面より離れている請求項１又は２記載の半導体発光素子。
【請求項４】
前記透光性部材が、前記第１層の表面に設けられた絶縁性保護膜を有し、前記絶縁性保護膜と前記半導体構造との境界領域が前記光反射部である請求項１乃至３のいずれか１項に記載の半導体発光素子。
【請求項５】
第１，２導電型半導体層を含む半導体構造に、発光構造部と、該第１導電型半導体層、該発光構造部の第２導電型半導体層に各々設けられた第１電極、第２電極と、
前記第２導電型半導体層上の少なくとも一部に形成された透光性絶縁膜と、該半導体構造の少なくとも一部を覆う透光性部材と、を有し、
前記第２電極が、前記第２導電型半導体層の少なくとも一部を被覆する透光性導電膜の第１層と、前記透光性絶縁層の少なくとも一部に設けられ、第１層に導通する第２層と、
前記透光性部材が、前記第１層の被覆領域表面で、前記半導体構造の第１層側表面からλ／２ｎ１（λは発光素子の発光波長、ｎ１は第１層の屈折率）の距離内に設けられた絶縁性保護膜を有し、
前記透光性絶縁膜及び前記被覆領域の絶縁性保護膜と、前記半導体構造とのそれぞれの境界領域に光反射部が形成され、
前記透光性絶縁膜の前記第２層側表面が、前記第１層の被覆領域に設けられた絶縁性保護膜の前記第１層側表面より半導体構造から離れている半導体発光素子。
【請求項６】
前記透光性絶縁膜の表面が、前記絶縁性保護膜の表面より前記半導体構造から離れている請求項３乃至５のいずれか１項に記載の半導体発光素子。
【請求項７】
前記透光性絶縁膜の表面が、前記半導体構造の表面から、λ／ｎ１の距離内若しくは、λ／ｎ１ ± λ／２ｎ１の範囲内に設けられている請求項３乃至５のいずれか１項に記載の半導体発光素子。
【請求項８】
前記透光性導電膜、及び／又は、透光性部材若しくは絶縁性保護膜の屈折率が、前記第２導電型半導体層より低い請求項３乃至７のいずれか１項に記載の半導体発光素子。
【請求項９】
前記第２電極が、前記第１層被覆領域を含む光取り出しの窓領域と、前記第２層形成領域と、を有し、前記第２層形成領域には、外部接続部と、前記窓領域に電流を拡散する電極延伸部とを少なくとも有する請求項１乃至８のいずれか１項に記載の半導体発光素子。
【請求項１０】
前記第２層形成領域の電極延伸部において、前記第２層と前記半導体構造との間に前記透光性絶縁膜が介在する請求項９に記載の半導体発光素子。
【請求項１１】
前記透光性部材が、前記半導体構造と前記第１層の少なくとも一部を被覆する被覆部材を有し、前記透光性絶縁膜の第２層側表面が、前記被覆部材の前記第１層側表面より前記半導体構造表面から離れている請求項３乃至１０のいずれか１項に記載の半導体発光素子。
【請求項１２】
前記第１層が、前記第２導電型半導体層の被覆領域から延在して前記透光性絶縁膜を覆う延在部を有し、前記第２層が前記第１層の延在部の少なくとも一部と重なる請求項１乃至１１のいずれか１項に記載の半導体発光素子。
【請求項１３】
前記透光性絶縁膜の外縁部に、該外縁部内側より膜厚の小さい薄膜部を有する請求項１乃至１２のいずれか１項に記載の半導体発光素子。
【請求項１４】
前記透光性絶縁膜の薄膜部の上に、前記第１層、若しくは前記第１層及び前記透光性部材の一部が、延在されている請求項１３記載の半導体発光素子。
【請求項１５】
前記第２層が、前記第２導電型半導体層を被覆する前記第１層の被覆領域から離間されている請求項１乃至１４のいずれか１項に記載の半導体発光素子。
【請求項１６】
前記絶縁性保護膜は、前記透光性絶縁膜と略同一材料で、膜厚が小さい請求項１乃至１５のいずれか１項に記載の半導体発光素子。
【請求項１７】
前記絶縁性保護膜と前記透光性絶縁膜とが、略同一材料、同一膜厚であり、
前記第１層が前記透光性絶縁膜と半導体構造との間に介在する介在部を有し、
前記第２層が前記透光性絶縁膜の外側で前記第１層に延設する延設部を有する１乃至１５のいずれか１項に記載の半導体発光素子。
【発明の詳細な説明】
【技術分野】
【０００１】
本発明は、半導体の発光素子に関し、特に発光素子の電極構造に関する。
【背景技術】
【０００２】
窒化物半導体を用いた発光素子は、そのワイドバンドギャップ特性から、近紫外から赤色域で発光が得られるため、種々の研究が成されている。窒化物半導体発光素子の一般的な基本構造は、基板上に、ｎ型窒化物半導体、活性層、ｐ型窒化物半導体を積層した構造で、ｐ型層、一部露出されたｎ型層に各電極が設けられた構造となり、電極構造を含む発光素子構造について研究されている。特に、その高出力化を目指して、様々な発光素子構造、並びに電極構造が提案されている。
【０００３】
【特許文献１】特開平８−２５０７６９号公報
【特許文献２】特開平９−１２９９２１号公報
【特許文献３】ＷＯ９８−４２０３０Ａ
【特許文献４】特開平１０−１７３２２４号公報
【特許文献５】特開２００３−１２４５１７号公報
【特許文献６】特開２００５−１９７２８９号公報
【特許文献７】特開２００３−１３３５９０号公報
【特許文献８】特開２００４−１７９３４７号公報
【特許文献９】特開２００５−３１７９３１号公報
【発明の開示】
【発明が解決しようとする課題】
【０００４】
従来の提案として、発光構造部上に設けられるｐ電極について、ITOなどの透明電極を用いて、一部に絶縁膜の電流阻止部を設けて、透明電極部を選択的に発光させること（特許文献１〜４）、外部接続部と発光部を分離するその他の構造（特許文献５）、またｎ電極などについて2層構造として、上層に金属層・反射層を一部（特許文献７）、全部（特許文献６，８，９）、に重ねて設ける構造がある。
【０００５】
上述した従来の構造では、特に透明電極の領域で光取り出しとする構造ではその電極のシート抵抗が高くなり、そのような構造において、選択発光・部分的な電流阻止部の構造を付加する場合には素子抵抗が高くなり、また選択発光・電流注入部における光損失が増加する傾向にあり、引いては電力効率が低下する傾向にある。半導体発光素子の照明用途などへの応用、汎用化において、高い量産性、低コスト化と、光出力、電力効率の向上が必要となる。特に後者、電力効率は、Ｖｆなどの素子抵抗を低減し、且つ発光特性、光取り出し効率の向上が必要となるため、困難な要請となる場合がある。
【０００６】
本発明者らは、上述した従来技術において、外部接続部における発光制御、透明電極による光出射する構造では、発光特性、電気特性の向上が困難であること、光取り出し領域に形成された透明電極による光反射で多くの光損失があること、を新規に見出し、該知見に基づいて、透明電極の光取り出し領域及び／又は電流注入・発光領域における光反射を好適に制御して、Ｖｆ・素子抵抗の上昇を抑えて、光取り出し効率の向上、引いては電力効率を向上させ得ることを見出した。
本発明の具体的な課題は、発光構造の外に設けられる電極に透光性電極を用いて、素子の低抵抗化、高出力化、高電力効率化（ｌｍ／Ｗ）、高い量産性・低コスト化、の少なくともいずれか、好ましくはその多くを実現する発光素子を提供することにある。
【課題を解決するための手段及び発明の効果】
【０００７】
本発明の第１の態様に係る半導体発光素子は、第１，２導電型半導体層を含む半導体構造に、発光構造部と、第１導電型半導体層、発光構造部の第２導電型半導体層に各々設けられた第１電極、第２電極と、第２導電型半導体層上の少なくとも一部に形成された透光性絶縁膜と、を有し、第２電極が、第２導電型半導体層の少なくとも一部を被覆する透光性導電膜の第１層と、透光性絶縁層上の少なくとも一部に設けられ、第１層に導通する第２層と、を有し、第１層の表面側と、透光性絶縁膜と半導体構造の境界領域と、にそれぞれ光反射部が形成され、前記透光性絶縁膜の前記第２層側表面が、第１層の表面より半導体構造から離れている。
これにより、第２層形成領域に介在する透光性絶縁膜表面が、第１層の被覆領域の電流注入領域、発光領域、光取り出し窓領域における第１層表面より離れて形成され、その各々の反射領域において、好適な光反射、すなわち、被覆領域における第１層の透光性導電膜による光吸収の低減、主に金属などの遮光性、光吸収となる第２層における透光性絶縁膜による光反射の向上、とすることができる。
【０００８】
上記第１の態様に係るその他の形態としては、
（１）半導体構造の第１層側表面からλ／２ｎ１（λは発光素子の発光波長、ｎ１は第１層の屈折率）の距離内に被覆領域の第１層表面を、半導体構造の透光性絶縁膜側表面からλ／２ｎ２（ｎ２は透光性絶縁膜の屈折率）の距離外に透光性絶縁膜の第２層側表面を、それぞれ備えている、
（２）第１層の表面の上に、絶縁性の透光性部材を有し、透光性絶縁膜の第２層側表面が、透光性部材の半導体構造側表面より離れている、
（３）透光性部材が、第１層の表面に設けられた絶縁性保護膜を有し、絶縁性保護膜と半導体構造との境界領域が前記光反射部である、
がある。
【０００９】
上記（１）では被覆領域の透光性導電膜（第１層）がλ／２ｎ１以下の薄膜で形成されることで、その光反射領域における光のしみだし成分が消衰係数の高い透明導電膜における光損失を低く抑え、他方、λ／２ｎ２以上の厚膜で消衰係数の低い透光性絶縁膜により、光損失の低い好適な光反射第２層に到達する光量減らすことができる。上記（２）では、被覆領域の第１層表面に、消衰係数の低い透光性の光透過部材を備えることで、上記被覆領域における光反射で、光損失の低い光透過部材中にて多くの光しみだし成分が光反射される。上記（３）では、その被覆領域における光透過部材の絶縁性保護膜と、第１層の透光性導電膜と、により、半導体構造の内部の光に対する光反射の境界領域が形成されることで、上述したような光損失が低減された光反射を実現できる。
【００１０】
本発明の第２の態様に係る半導体発光素子は、第１，２導電型半導体層を含む半導体構造に、発光構造部と、第１導電型半導体層、発光構造部の第２導電型半導体層に各々設けられた第１電極、第２電極と、第２導電型半導体層上の少なくとも一部に形成された透光性絶縁膜と、半導体構造の少なくとも一部を覆う透光性部材と、を有し、第２電極が、第２導電型半導体層の少なくとも一部を被覆する透光性導電膜の第１層と、透光性絶縁層の少なくとも一部に設けられ、第１層に導通する第２層と、透光性部材が、第１層の被覆領域表面で、半導体構造の第１層側表面からλ／２ｎ１（λは発光素子の発光波長、ｎ１は第１層の屈折率）の距離内に設けられた絶縁性保護膜を有し、透光性絶縁膜及び被覆領域の絶縁性保護膜と、半導体構造とのそれぞれの境界領域に光反射部が形成され、透光性絶縁膜の第２層側表面が、第１層の被覆領域に設けられた絶縁性保護膜の第１層側表面より半導体構造から離れている。
これにより、被覆領域の第１層の透光性導電膜と、その表面上の絶縁性保護膜とにより、半導体構造との境界領域における光反射領域として、その光反射における光損失の大きな透光性導電膜の膜厚を小さくして、多くの光を絶縁性保護膜で反射させ、他方、第２層の透光性絶縁膜領域においては、金属などの遮光性電極に到達する光をその境界領域で反射させ、また厚膜の絶縁膜により光損失の低い好適な光反射領域とすることができる
【００１１】
上記第１，２の態様及び上記形態に係るその他の形態としては、
（１）透光性絶縁膜の表面が、絶縁性保護膜の表面より前記半導体構造から離れている、
（２）透光性絶縁膜の表面が、前記半導体構造の表面から、λ／ｎ１の距離内若しくは、λ／ｎ１ ± λ／２ｎ１の範囲内に設けられている、
（３）透光性導電膜、及び／又は、透光性部材若しくは絶縁性保護膜の屈折率が、前記第２導電型半導体層より低い、
（４）第２電極が、前記第１層被覆領域を含む光取り出しの窓領域と、第２層形成領域と、を有し、第２層形成領域には、外部接続部と、窓領域に電流を拡散する電極延伸部とを少なくとも有する、
（５）第２層形成領域の電極延伸部において、第２層と前記半導体構造との間に透光性絶縁膜が介在する、
（６）透光性部材が、半導体構造と第１層の少なくとも一部を被覆する被覆部材を有し、透光性絶縁膜の第２層側表面が、被覆部材の第１層側表面より前記半導体構造表面から離れている
（９）第１層が、第２導電型半導体層の被覆領域から延在して透光性絶縁膜を覆う延在部を有し、第２層が第１層の延在部の少なくとも一部と重なる、
（１０）透光性絶縁膜の外縁部に、外縁部内側より膜厚の小さい薄膜部を有する、
（１１）透光性絶縁膜の薄膜部の上に、第１層、若しくは第１層及び透光性部材の一部が、延在されている、
（１２）第２層が、第２導電型半導体層を被覆する第１層の被覆領域から離間されている、
（１３）絶縁性保護膜は、透光性絶縁膜と略同一材料で、膜厚が小さい、
（１４）絶縁性保護膜と透光性絶縁膜とが、略同一材料、同一膜厚であり、第１層が透光性絶縁膜と半導体構造との間に介在する介在部を有し、第２層が透光性絶縁膜の外側で第１層に延設する延設部を有する、
がある。
【００１２】
上記（１）であると、第２層下の厚膜の透光性絶縁膜により、半導体構造とで好適な光反射面、特に全反射とでき、他方、光取り出し窓領域における薄膜の保護膜により、光反射率を低くして好適な取り出しができる。上記（２）であると、半導体構造表面の反射領域における光反射の光漏れ領域となる１波長分、若しくはその前後１／４波長分内に、消衰係数の低い絶縁膜、保護膜が設けられることで、光損失を低くし、光反射機能を高めて、反射率を低くすることができ、また上記（３）であるとその光反射機能を高めることができる。  上記（６）であると、半導体構造を被覆する被覆部材によって、上記同様に被覆領域内で好適な光反射と取り出しが実現できる。このように、第１層の被覆領域と第２層・絶縁膜領域とを、各々所望の部材、各領域・厚みで構成することで、半導体構造表面の相互の領域（被覆領域と絶縁膜領域）とを光学的に分離して、一方で好適な光取り出し、他方で好適な内部反射、光取り出し部からの分離を実現できる。
【００１３】
上記（４）であると、第１層の被覆領域を光取り出しの窓領域として、そこに第２層の外部接続部から伸びて、電流拡散する延伸部を備えて好適な発光構造とでき、更に上記（５）であると第２層の各部に透光性絶縁膜を有しているため、電流拡散性向上、素子抵抗低減ができ、また好適な光取り出しが実現できる。上記（７）であると、透光性絶縁膜上に延在する第１層が第２層と導通することにより、第２層が絶縁膜端部外へ延出して光損失が起こる問題を解決でき、他方、上記光反射において、光反射・しみだし領域の外側の絶縁膜上で消衰係数の高い透光性導電膜を設けることで、光損失を低く抑えることができる。
【００１４】
上記（８）であると、上記半導体構造面内の被覆領域（第１層）と絶縁膜領域（第２層）との境界近傍に位置する絶縁膜の端部付近が、薄膜であることで上記領域間を横架する各膜（第１，２層、保護膜など）の密着性を良好とし、双方の領域の光学的な中間領域となって、好適な光学的境界が形成される。また、上記（９）であると、比較的厚膜の絶縁膜への延在、密着性が好適な第１層の形成が可能となり、上記中間領域が、半導体構造側の絶縁膜と、その上の第１層の構造、更にその上の保護膜・透光性部材の構造、となってその領域が好適に機能する。
【００１５】
上記（１０）であると、第２層が絶縁膜端部外へ延出して光損失が起こる問題を解決できる。上記（１１）、（１２）であると、上述した被覆・絶縁領域（第１層・第２層領域）の各機能を好適に発現できる。
【発明を実施するための最良の形態】
【００１６】
以下、発明の実施の形態について適宜図面を参照して説明する。ただし、以下に説明する発光素子・装置は、本発明の技術思想を具体化するためのものであって、本発明を以下のものに特定しない。特に、以下に記載されている構成部品の寸法、材質、形状、その相対的配置等は特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに、本発明を構成する各要素は、複数の要素を同一の部材で構成して一の部材で複数の要素を兼用する態様としてもよいし、逆に一の部材の機能を複数の部材で分担して実現することもできる。
【００１７】
〔実施の形態１〕
図１を用いて、実施の形態１に係るＬＥＤ100の具体例、その構成について説明する。ここで、図１Ａは、実施の形態１に係るＬＥＤを電極形成面側からみた平面を、図１Ｂ，Ｃは、図１ＡのＡ−Ａ線、Ｂ−Ｂ線における断面をそれぞれ説明する概略図であり、図１Ｄ，Ｅは、図１Ｃの部分拡大した概略図、図１Ｅは図１Ｄの別の形態を説明する概略図である。
図１の発光素子の構造は、基板10上に、バッファ層などの下地層（図示せず）を介して、第１導電型層のｎ型窒化物半導体層21、発光部となる活性層22、第２導電型層のｐ型窒化物半導体層23が積層された積層構造からなる半導体構造20を有し、ｎ型層21の一部が露出されてｎ電極（第１電極）30が設けられ、第1，2導電型層21,22（とその間の活性層22）が設けられた発光構造25の表面25tであるｐ型層23s上にｐ電極（第２電極）40が設けられた素子構造を有している。尚、平面図（図１A）では保護膜51を省略し、各電極の外部接続部33,43となる保護膜開口部を一点鎖線の細線囲み部として示しており、図３，４，９も同様であり、図８Aも保護膜を省略し、また外部接続部と第２層表面と保護膜開口部がほぼ一致しているため省略している。
【００１８】
更に図１に係る具体例では、第１電極30は、矩形状の素子構造26、発光構造25において、その角部付近に発光構造25を内側に凹ませるように第１導電型露出領域21sが設けられた凹欠部の一部に電極形成領域21eが設けられ、略矩形状の第１電極30が設けられている。このように発光構造部25上と、発光構造部25から露出された露出部21sの一部の電極形成領域21eに、第１，２電極30,40がそれぞれ設けられ、半導体構造部上25tの第２電極40には、透光性導電膜の第１層41と、それに接続する第２層42が一部に透光性絶縁膜18を介して積層された構造を有する。電極の第２層は第１層より透光性の低い電極、例えば遮光性の金属電極で形成され、光吸収・損失があるため、透光性絶縁膜18と半導体構造の第２導電型層23s（発光構造部上面25t）との境界領域、具体的には屈折率が半導体構造20、第２導電型層32、若しくはその表面23s領域より低い絶縁膜18との境界において、半導体構造内で伝播する光が、そこを覆う第２層形成領域による遮光を抑制して、その手前の絶縁膜と半導体の境界の反射によって、好適な光反射がなされて光損失を抑えて、他の露出部、半導体構造20側面、発光構造上面25t、透光性の基板10などの光窓部、特に第１層41の被覆領域から好適に取り出される。また、上記半導体の露出部21sに第１電極30が設けられ半導体に接続されている。尚、第１電極は、後述するように、第２電極同様に、図１Ｂに観るような第１，２層31,32の少なくとも２層を備えた構造を有しても良く、更には図２に観るように、少なくとも第２層の一部が透光性絶縁膜を介して設けられる構造でも良く、これらの場合、下層側の第1層で半導体層に接続する構造となる。
【００１９】
このように図１の例で、第１電極30は、第２電極30同様に、非発光構造部となる露出部21sの電極形成領域22eの上に設けられた透光性の透明導電膜の第１層31と、その上に第２層32を少なくとも有する電極構造として、第２層より断面幅広、大面積の第１層で好適な電極としている。更に図２に示す図１Ｃの別の形態例で示すように、第２電極同様に、第２層と半導体層との間に透光性絶縁膜17を介在する構造することで、第２電極と同様な効果が得られる。また、図１に係る具体例では、ｎ側電極30及びｐ側電極40の第１層のオーミック電極と、第２層の外部接続用電極として、同一構造として、それぞれ、ITOと、Rh／Pt／Auをこの順に積層した膜と、で構成している。
このように、第１，２電極、その第１，２層を、略同一構造、同一工程でそれぞれ設ける場合、すなわち、第１層及び／又は第２層が略同一膜厚で形成される場合、更には透光性絶縁膜についても同様である生産性に富み好ましい。
【００２０】
透光性絶縁膜上面を覆う第２層42の被覆部は特に限定されないが、図１に観るように、その上に外部接続部43を設ける場合には、外部接続部は他の部分、例えば図１，３，４，９に観る電極延伸部44など、に比して断面幅広に形成され、大きな面積を必要とするため、被覆部上に少なくとも外部接続部を設けることが好ましく、幅広、大面積の外部接続部において好適な光反射がなされる。また、外部接続時の耐衝撃性、下層の第１層、透光性絶縁膜との密着性に優れるため、この点でも好ましい。
【００２１】
以下、本発明について詳しく説明すると、上述した第１層、特にその発光構造部を被覆して、具体的には電流注入、発光領域とする第１層被覆領域、において、半導体構造内部への好適な光反射機能を付与し、更には好適な光取り出しの窓領域を供する。他方、発光構造部上の別の領域である透光性絶縁膜形成領域若しくは第２層形成領域、具体的には透光性絶縁膜を介して電流阻止領域となる第２層被覆領域、において、遮光領域となる第２層の光損失を抑えて、半導体構造内部への好適な光反射機能を供する。
【００２２】
半導体構造において、その内部の光は主に、図１Ｂの白抜き矢印に示すように横方向成分の光と、縦方向成分の光とに二分でき、後者の縦方向成分は、半導体構造の対向する主面、第１電極形成面側の面と、それに対向する側、図１の基板10側、の面に対して、低角度で入射され、その到達した主面で直ちに取り出される。他方、図に観る横方向成分の光は、上記主面に対して高角度で入射され、一部は外部に取り出されるものがあるが、多くは内部へ反射され、そのような反射を繰り返して、図中矢印に示すように、横方向に伝搬することになる。また、半導体構造は、後述の実施例、寸法：厚さ約５μｍ幅３２０μｍ（素子外形：□３２０μｍ、露出部、電極形成領域幅１００μｍ、素子外縁２０μｍ）、で示すように、横方向に広がりを持つ媒質、すなわち半導体構造の表面に到達する光路が縦方向に比して横方向に極めて長い伝搬距離の媒質であり、また半導体構造主面に対向した発光領域、実施例では発光層、を備える。更には、発光領域から全方位に均一な発光とする場合に、発光構造主面に到達する光は、全方位発光の立体角に占める割合から、多くが横方向成分の光となる。以上により、半導体構造において、幅狭の縦方向成分の光の多くは内部に反射されずに、外部に取り出され、他方、横方向成分の光の多くは内部に反射されることになり、半導体構造内部のほとんどは、横方向成分の光となり、この横方向成分の制御を好適にする構造が本発明の発光素子構造となる。
【００２３】
具体的には、図１Ｂに示す横方向成分の光（図中の白抜き矢印）について、楕円囲み部を拡大する図１Ｄに示すように、半導体構造部の主面、その大面積を占める発光構造部、更にはその発光構造部の大面積を占める第１層被覆領域において、上記横方向成分の光反射が成される。ここで、第１層被覆領域における横方向成分、すなわち入射角の高い光成分、の反射において、該光反射部を構成する異種材料境界領域で反射され、具体的には半導体構造表面から波長分程度厚みの帯領域を光反射領域（図中の網掛け部70）として、光反射がなされることになり、例えば半導体構造表面から境界領域内に光がしみだして反射する形態となる。
【００２４】
一方、このような波長分程度の薄膜における光媒質の屈折率は、複素屈折率Ｎの式、Ｎ＝ｎ−ｉｋ、で表され、屈折率の実数部ｎと、虚数部ｉｋと、で構成される。後述するように、透光性絶縁膜、透光性部材、絶縁性保護膜に好適に用いられる誘電体膜材料の場合には、消衰係数ｋ＝０となり、その屈折率Ｎは実数部ｎとなる。他方、後述する実施例のＩＴＯのように、消衰係数ｋ＞０の場合、吸収係数αとの関係式、α＝４πｋ／λ、により、上記境界領域、光反射領域内（図中の網掛け部70）で光吸収が発生する。
【００２５】
後述の比較例などに示す構造では、上記第１層被覆領域及び第２層・透光性絶縁膜形成領域近傍の拡大図（図１Ｄ）が、図１Ｅに示すような構造となり、横方向成分の光（図中白抜き矢印）が高角度で入射して、第１層の波長分程度（λ／ｎ１、実施例では約２３０nm）の反射領域において、上記光吸収が起こり、光が減衰する。図１Ｄに示す本発明の構造では、第１層被覆領域において、上記帯状の光反射領域70が、薄膜の第１層と、その上を覆う透光性部材、絶縁性保護膜と、で構成され、第１層による光吸収を抑えて、入射光と反射光の比を高くした好適な光反射が実現される。また、第２層及び／又は透光性絶縁膜の形成領域内においては、上述したように、誘電体膜のような透明材料の透光性絶縁膜に上記光反射領域が形成され（図１Ｄ）、ここでも横方向成分の好適な光反射、更に好適には臨界角以上の光による全反射が実現される。
【００２６】
また、この形成領域では、別の機能として後述するように、絶縁膜介在による電流阻止領域としてその領域下の発光構造部を非発光領域として、絶縁膜、引いてはその後方の第２層に到達し易い直下の発光による縦方向成分の光を無くし、また、その近傍の第１層被覆領域下の発光、特に低角度で入射する縦方向成分の光に対しては、半導体構造と透光性絶縁膜との境界領域による高い反射率の光反射で反射する。このため、電流阻止、非発光領域とすることが好ましい。
【００２７】
上述したような横方向成分の光反射機構は、後述する実施例における基板平坦性の相違、具体的には図１Ｂに示すような平坦な基板表面、図２に示すような凹凸構造の基板表面、引いては電極形成面に対向する半導体構造の主面における平坦表面と凹凸構造表面との対比、例えば実施例１Ａ〜Ｃと１ａ〜ｃ、実施例２Ａ〜Ｃと２ａ〜ｃとの対比により、見出すことができる。このような凹凸構造11は、図２中に示すように、上記横方向成分の光（図中の点線矢印）が凹凸表面に到達して、その光の一部を縦方向に転換して一部を上向き、下向き成分の光に変換し（図中の実線矢印）、半導体構造の短距離方向の主面に低角度で入射する光に変換された一部の横方向成分が、外部に取り出され、光取り出し効率を高める構造となっている。従って、上述した半導体構造内の横方向成分の光が、図１Ｂに示すような平坦な表面に比して減少する構造であり、然るに平坦な表面に比して減少した横方向成分の光による反射となるため、上記反射機構による効果が低減されることになる。これは、後述の実施例１Ａ〜Ｃと１ａ〜ｃ、２Ａ〜Ｃと２ａ〜ｃ、の対比から明らかなように、本発明の反射構造の効果が凹凸構造11で低減する傾向が観られることから、上述した反射領域を支持するものである。
【００２８】
上述した光反射構造を備えた半導体構造の電極形成面側、特に発光構造部における各構造物について以下説明する。
上記図１の具体例で示すように、発光素子構造は、半導体構造20の一方の主面側を第１，２電極30,40の形成面側として、発光構造部25の上25tに設けられる第２電極40、特に第１層被覆領域31cにおいて、主な光取り出しの窓領域、具体的には上述した縦方向成分の取り出し窓領域、とする構造であり、その他、遮光性の構造物、例えば第２電極、各電極の第２層からの露出面、例えば半導体構造の露出面、側面、他方の主面（基板側）からも光が取り出される発光素子構造となっており、このような発光素子構造であることが本発明で好ましい。この例と異なり、上記電極形成面側、特に第２電極形成面側に対向する半導体構造の主面側を主な光取り出し側とし、その電極形成面側を光反射側とする構造とすることもでき、この場合、第１層被覆領域、及びその上の絶縁性保護膜などの透光性部材に縦方向を反射する反射構造、例えば、第２層を反射電極とすること、透光性部材に後述の誘電体多層膜、金属の反射膜をもうけること、により、実現できる。
【００２９】
図１の具体例では、上述したように、第１層被覆領域、またそれに加えて第１層を覆う透光性部材、の複合材料領域で、横方向成分の光の損失を低く抑えて反射する光反射領域が形成され、特に第１層の膜厚を小さくして、その表面が半導体構造表面の近くに配して、その表面上で好適な光反射部となる構造とする。図１Ｂ〜Ｄに観るように、光反射領域内に薄膜の第１層が設けられることで、好ましくはその表面上に、半導体構造より屈折率の低い、更に好ましくは第１層より消衰係数の低い、透光性の部材による反射成分を多くでき、また屈折率が高い場合に比して好適な光反射となり、更に吸収成分の低い複合領域とでき、好適な反射構造とできる。後述の実施例１，２などに観るように、好ましくは、半導体構造表面からλ／２ｎ１の距離内に第１層、その表面を形成すること、具体的には実施例に観るように第２導電型層表面に設けられる第１層の膜厚をλ／２ｎ１以下とすること、更に好ましくはλ／４ｎ１以下とすることで、光損失を十分に低くできる。また、膜厚の下限は特に限定されないが、上記具体例のように、第１層、特にその被覆領域においては、第２層、例えばその外部接続部、更にはそこを基点として伸びる延伸部、からの電流を、それより断面幅広、大面積の第１層で拡散し、半導体構造、特に発光構造部に電流注入する機能を供すること、それを十分とする構造とすることが好ましい。この場合、好適な電流拡散と電流注入であること、具体的には第１層の低シート抵抗化、と半導体構造との低接触抵抗化されること、が好ましく、後述の実施例に示すように、Ｖｆ上昇を抑えるためには、例えば後述の実施例では１０ｎｍ以上、好ましくは２０nm以上とし、これはλ／８ｎ１付近に相当し、後述の実施例、実施の形態で示すように発光構造、第２層の形状、特に延伸部の形状、配置等に依るため、それに応じて適宜、好適な膜厚を確保して形成する。
【００３０】
次に、半導体構造部、特に発光構造部の電極形成面側、における上記第１層被覆領域と別に設けられる透光性絶縁膜領域、また少なくとも透光性絶縁膜領域に一部がかなり合う第２層領域、について、説明すると、第２層は電極として、上層側に形成され、下層側の第１層と電気的に接続され、具体的には第１層形成領域と一部が重なり合って形成される。好ましくは、図１の例などで示すように、透光性絶縁膜上に設けられた第１層延在部で接続すること、更に好ましくは第２層が透光性絶縁膜上に内包されることで、第２層及び／又は透光性絶縁膜形成領域で好適な反射機構を備えること、その効果を増大させることができる。
【００３１】
この透光性絶縁膜の形成領域における反射機構は、上述したように、半導体構造と透光性絶縁膜の境界領域、好ましくは半導体構造とその表面に設けられた透光性演説膜の境界領域、で反射領域が形成される。図１Ｄ，Ｅに観るように、１波長分程度の帯状の反射領域70よりも透光性絶縁膜表面を外側に設けること、具体的にはそれより厚膜で半導体構造表面に設けることが好ましい。透光性絶縁膜の表面、膜厚が十分であることにより、横方向成分の光を好適に反射して、遮光性で、光吸収する第２層に到達するような光、例えば図２に示すような上向きの矢印方向の光、を好適に反射し、好ましくは全反射される。
【００３２】
ここで、半導体構造表面から透光性絶縁膜表面までの距離、具体的には半導体構造表面に設けられた絶縁膜の膜厚、は、上述したように、また後述の実施例で示すように、具体的には上述した第１層表面までの距離若しくはその膜厚より大きくすること、又はλ／４ｎ２（λは発光素子の発光波長、ｎ２は透光性絶縁膜の屈折率）以上とすること、好ましくはλ／２ｎ２以上であることで好適な反射構造とでき、膜厚の上限としては特に限定されないが、第１層被覆領域において、その表面より長距離の絶縁膜表面若しくはその膜厚より大きい絶縁膜の膜とすることであり、好ましくは図１Ｂ，Ｃに示すように保護膜表面と半導体構造表面との距離若しく第１層及び保護膜の膜厚の和より大きくすることで、絶縁膜形成領域において好適な光反射領域が形成される。この場合、具体的な距離若しくは膜厚としては、１波長分（λ／ｎ２）程度以上あれば良い。
他方、後述の実施例に観るように、好ましくはλ／２ｎ２付近、より具体的にはλ／２ｎ２±λ／４ｎ２（λ／４ｎ２以上３λ／４ｎ２以下）とすることで、好適な光出力、素子特性のものが得られる。これは、λ／２ｎ２以下の領域では、媒質の厚さに従って反射率、特に入射角が臨界角より高角度、特にその臨界角近傍域における反射率、が上昇するが、その反射率上昇は、λ／２ｎ２以上（例えば、λ／ｎ２迄、若しくはλ／ｎ２超）の領域において、上昇率が鈍化し、具体的には、λ／２ｎ２±λ／４ｎ２の範囲において、上昇率鈍化に変移する傾向が観られることと、良く一致する。然るに、入射角が高角度となる透光性絶縁膜形成領域から離間した領域の発光、特に光量の多い臨界角近傍となる絶縁膜形成領域近傍の発光、に対して好適な反射が、λ／２ｎ２±λ／４ｎ２の範囲で成されることになり、上記絶縁膜による電流阻止領域構造に好適に適用することができる。尚、上記範囲（上限３λ／４ｎ２）を超えて、例えば１波長分若しくはその１波長分超においても、上記範囲内と同等に好適な光特性の発光素子構造とできる。
【００３３】
図１Ｂ〜Ｄに観るように、透光性絶縁膜が厚膜化すると、発光構造部表面25tと、また第１層被覆領域41cと、の間に大きな段差が設けられるため、その段差を跨って形成される電極、図１の例では第１層及び保護膜51、図５，６の例では第１，２電極30,40の第１，２層及び保護膜17,18、において、部分的な断線、剥がれなどの問題が起こる場合があり、製造歩留り、素子の特性ばらつきの原因となる。また、上述したように、第１層を薄膜化させる場合に、更には、保護膜を絶縁膜から離間させる場合、第１層を絶縁膜上まで延在させ、第２層を第１層被覆領域から離間させる構造の場合に、その問題が顕著となる傾向がある。
また、上記段差部は、半導体構造の電極形成面内、特に発光構造部25の表面25t内、において、第１層被覆領域41c(31c)と、上記絶縁膜18(17)の形成領域、更には第２層の形成領域、とが設けられる構造となり、その領域間の境界領域に当たる。その境界領域において、段差が大きくなり、例えば１波長分（λ／ｎ２）超になると、上述したような反射領域における光学的分布の変化が大きくなり、光学特性、例えば指向性に悪影響を及ぼす場合がある。図６〜８に示すような端部側などに、薄膜部61,62が設けられると、境界領域の変化を小さくできる。透光性絶縁膜が上記範囲（λ／２ｎ２±λ／４ｎ２）であること、更には絶縁膜上に第１層延在部があることで、上記反射領域が、被覆領域、絶縁膜形成領域において、部材の配置が反転していることを除いて、同様な複合部材とでき、領域間の差を小さくでき好ましい。
【００３４】
〔発光素子の具体例・製造例〕［実施例１］
以下に実施例１を用いて、本実施の形態の詳細、その製造方法を例示する。
本実施の形態の図１の発光素子の具体的な半導体構造、積層構造20としては、基板10上に、下地層（図示せず）として、膜厚２０nmのＧａＮのバッファ層と、膜厚１μｍのアンドープＧａＮ層、を
その上の第１導電型層21（ｎ型層）として、膜厚５μｍのＳｉドープＧａＮのｎ側コンタクト層と、コンタクト層と活性層との間の領域に、０．３μｍのアンドープＧａＮ層と、０．０３μｍのＳｉドープＧａＮ層と、５ｎｍのＧａＮ層と、４ｎｍのアンドープＧａＮ層と２ｎｍのアンドープＩｎ０．１Ｇａ０．９Ｎ層とを繰り返し交互に１０層ずつ積層された多層膜、を
ｎ型層の上の活性層22として、膜厚２５ｎｍのアンドープＧａＮの障壁層と、膜厚３ｎｍのＩｎ０．３Ｇａ０．７Ｎの井戸層とを繰り返し交互に６層ずつ積層し、最後に障壁層を積層した多重量子井戸構造、を、
活性層の上の第２導電型層23（ｐ型層）として、４ｎｍのＭｇドープのＡｌ０．１５Ｇａ０．８５Ｎ層と２．５ｎｍのＭｇドープＩｎ０．０３Ｇａ０．９７Ｎ層とを繰り返し５層ずつ交互に積層し、最後に上記ＡｌＧａＮ層を積層したｐ側多層膜層と、膜厚０．１２μｍのＭｇドープＧａＮのｐ側コンタクト層、を、
積層した構造（発光波長約４６０ｎｍ，青色LED）を用いることができる。これらの層は、例えば、Ｃ面サファイア基板上にＭＯＶＰＥでｃ軸成長した窒化物半導体結晶で形成することができ、更に反応容器内で熱処理（７００℃）することでｐ型層を低抵抗化する。
【００３５】
（半導体構造部加工：非発光部、発光構造部25の形成）
第１導電型層露出（領域）21s、発光構造領域25、これらの領域の画定は、積層構造20の一部を所望形状にエッチングなどで、加工・除去することでなされる。具体例としては、上記構造例でｐ型層側から、フォトリソグラフィーにより所望形状のＳｉＯ２などのマスクを設けて、ｎ型コンタクト層の深さ方向一部までを、ＲＩＥなどのエッチングで除去して、露出領域21s、その一部の第１電極形成領域21e（図１の例では発光構造25の凹欠部）を形成する。
【００３６】
（透光性絶縁膜18）
露出された半導体構造の電極形成面側にＳｉＯ２の透光性絶縁膜を設ける。具体的には、フォトリソグラフィーによりレジストのマスクを形成して、発光構造部上面25tとなる第２導電型層（ｐ型層中のｐ側コンタクト層）に、所望の形状の透光性絶縁膜18を設ける。
【００３７】
（電極30,40）
上記第１，２導電型層に、第１電極30（ｎ電極）と第２電極40（ｐ型層側）の透光性のオーミック電極（第１層）31,41として、半導体構造の電極形成面側にＩＴＯ（約２０nm）を成膜した後に、フォトリソグラフィーによりレジストのマスクを形成し、ITOの一部をエッチング除去して、各導電型層上、及び第２導電型層に設けられた透光性絶縁膜18を覆う所望形状の第１層を形成する。この第１層31,41の一部、上記透光性絶縁膜18に重なるように、各パッド電極（外部接続部33,43）及びそこから伸びる電極延伸部34,44を有する第２層32,42として、フォトリソグラフィーによりマスク形成後に、Ｔｉ（約２nm）／Ｒｈ（約２００nm）／Ａｕ（約６００nm）をこの順に積層した構造の膜を形成して、リフトオフして所望形状に形成する。このように、第１，２電極30, 40を同時に形成、具体的には同一の工程で各電極の各層を形成、することが製造工数低減でき好ましいが、別々の工程、別々の材料、積層構造で形成しても良い。続いて、３００℃以上の熱処理で、電極をアニーリング処理して、各電極と各導電型半導体層との接触抵抗を低減させる。
【００３８】
（保護膜50）
この例では、図１Ａの一点鎖線の細線で示すように、各電極（第２層）の外部接続部33, 43を、エッチングなどで露出させて、その他の領域を被覆する保護膜50として、２００nmのＳｉＯ２を、例えば表面全体に形成後に、フォトリソグラフィーでレジストマスク形成してＲＩＥでドライエッチングして開口部を設けるなどにより、形成する。
最後に、この例では□３２０μｍ（３２０μｍ角）に基板10を分割して、発光波長約４６０ｎｍのＬＥＤチップを作製する。尚、この例では、素子周縁部のｎ型層露出幅約２０μｍで、分割前のウエハではその２倍幅あるほぼ中央部を分割位置とする。ここで、各透光性材料の屈折率は、透光性導電膜の屈折率ｎ１が約２．００（ＩＴＯ）、透光性絶縁膜及び保護膜の屈折率ｎ２，ｎ３が約１．４６（ＳｉＯ２）、半導体構造の屈折率ｎｓが約２．４６（ＧａＮ）で、ｎｓ＞ｎ１＞ｎ２，３、の関係となる。
【００３９】
以上の例で示す各構造の寸法として、基板10の厚さとしては５０〜２００μｍ程度（上記例では約９０μｍ）、積層構造20では下地層の厚さは１〜２μｍ程度、ｎ型半導体層21の厚さは１〜２μｍ程度、活性層・発光層22の厚さは５０〜１５０ｎｍ程度、ｐ型半導体層23の厚さは、１００〜３００ｎｍ程度、ｎ型露出層21s表面から発光構造の高さは０．５〜３μｍ（上記例では約１．５μｍ）程度、第１層（オーミック電極）の厚さは１０nm〜５００nm程度、第２層（パッド電極、延伸部）の厚さは０．３〜１．５μｍ程度、外部接続部・パッド電極の幅・径は５０〜１５０μｍ程度、この例のように電極形成面側を光取り出し側とする場合の導電部（第２層）の幅は３〜２０μｍ、第２層（パッド電極・延伸導電部）が絶縁層１８内に被覆領域と離間して設ける場合の導電部と絶縁層の端部間距離（絶縁層突出部の断面幅）は３〜１０μｍ程度である。尚、図２に示すように、第１電極も第２電極同様に、透光性絶縁膜17を設ける場合には、第１電極の第１層の絶縁膜から延出した被覆領域31cの断面幅を３〜２０μｍ程度、また、第２層が絶縁膜から被覆領域にまで延設される場合に、その延設部32p,42pの断面幅は第２電極では０〜３０μｍ程度、第１電極では３〜２０μｍ程度である。
【００４０】
また、上記例のようにして得られる発光素子で、第１層のＩＴＯ及び透光性絶縁膜の膜厚を変化させて、その依存性を検討する。この検討例は、図２に示すように、第１電極も第２電極同様に、同一工程で、透光性絶縁膜17,18を、第２層と略同一領域に設け、第２電極延伸部の第２層の幅を約３μｍとし、第１電極の第１層の被覆領域（第２層から露出された延出部）の断面幅は約１０μｍで透光性絶縁膜の両側に設けられている。
【００４１】
この検討例では、透光性絶縁膜（ＳｉＯ２）の膜厚を、２０nm（実施例１Ａ）、保護膜と略同一膜厚の２００nm（実施例１Ｂ）、４００nm（実施例１Ｃ）と、比較例１として透光性絶縁膜を他は上記実施例１Ａ〜Ｃと同様のものと、これらの各実施例１Ａ〜Ｃ、比較例１において、図２に示すように基板表面に凹凸構造を設けるものとして、それぞれ実施例１ａ〜ｃ、比較例１′を作製し、図９Ｂに示すようなエポキシ樹脂封止・成型による直径５ｍｍの砲弾型ランプの発光装置200で評価すると、下表１のような特性の素子が得られる。ここで、表中の各特性評価項目は、Ｉｆ＝２０ｍＡにおける順方向電圧Ｖｆ、主波長λｄ、光束として積分球結果φｅをそれぞれ示している。
【００４２】
比較例１（１′）に比して、第１層と各導電型層との接触部の面積、すなわち第１層の被覆領域の割合、が低減したため、実施例１ｂを除いて、実施例１Ａ〜Ｃ，１ａ，１ｂのＶｆが０．２〜０．３Ｖ程度高くなる傾向にある。光束が、比較例１に比して実施例１Ａ〜Ｃでそれぞれ６％，１６％，１６％向上、比較例１′に比して実施例１ａ〜ｃでそれぞれ６％，１０％，１０％向上する。また、電力効率は、比較例１に比して同程度（実施例１Ａ）から約３％増（実施例１Ｂ，Ｃ）のものとなるが、実施例１ａ〜１ｃでは比較例１′に比して低下する傾向が観られる。
【００４３】
【表１】
2008192710.tif 000003
このように、透光性絶縁膜の厚みが相違する実施例１ａと１ｂ〜ｃ、１Ａと１Ｂ〜Ｃをそれぞれ比較すると、光出力で約４〜９％向上する。ここで、透光性絶縁膜の１／２波長、λ／２ｎ２は、約１５４nm（λ＝450nmの時）、約１５７nm（λ＝460nmの時）であり、絶縁膜の膜厚との関係は、［実施例１Ａ（１ａ）］＜λ／２ｎ２＜［実施例１Ｂ（１ｂ）］＜［実施例１Ｃ（１ｃ）］、であり、さらに１／２波長の前後１／４波長、１波長との関係は、［実施例１Ａ（１ａ）］＜λ／４ｎ２＜λ／２ｎ２＜［実施例１Ｂ（１ｂ）］＜３λ／４ｎ２＜λ／２ｎ２＜［実施例１Ｃ（１ｃ）］、であり、実施例１Ｂ（１ｂ）のλ／２ｎ２付近、より具体的には、λ／２ｎ２±λ／４ｎ２（λ／４ｎ２以上３λ／４ｎ２以下）で、好適な光出力のものが得られる。他方、実施例１Ａ（１ａ）と実施例１Ｃ（１ｃ）との対比から、絶縁膜が厚膜化する程、Ｖｆが高くなる傾向にあり、これは絶縁膜の膜厚段差と、それを覆う第１層との関係から、Ｖｆが高くなると考えられる。
【００４４】
次に、上記実施例１（検討例、図１の構造）、その他、下記検討例、下記実施の形態２・実施例２（図３の構造）、実施の形態３・実施例３（図４の構造）、及びそれらの比較例で示す構造において、第１層ＩＴＯの膜厚を、２０nm〜１７０nmで変化させて発光素子をそれぞれ作製すると、下図１０のような出力特性が得られる。ここで、構造差による出力差を相殺するために、各構造において、Ｉｆ＝２０ｍＡの発光出力（ｍＷ）について、第１層の膜厚が20nmのもので規格化して示し、また凡例中の図番は各図の構造に対応し、括弧内は、図２が図２に示す凹凸構造を有するもの、Ａｇが第２層の下層に後述する様なＡｇ反射層を有するもの、を、更に末尾の「−１，２」は別系列の実施例に係るものを示す。
これに観るように、５０nm超の領域では、概ね膜厚増に伴い、出力が減少する傾向が観られ、２０nm以上５０nm以下の領域内で、高出力の領域が得られる傾向、特に膜厚減に伴い、出力が増加する傾向、が観られる。
【００４５】
〔実施の形態２〕
実施の形態２としては、実施の形態１、実施例１において、第２電極（ｐ電極）の延伸部44の形状を図３に示すようなものとして、延伸部の本数を４本（実施例１）から９本とし、その延伸部（第２層）及び電極形状に対応する透光性絶縁膜を設ける他は実施例１と同様な構造、寸法で略正方形（□３２０μｍ）の発光素子を作製する。
この発光素子では、実施例２に比して、電極延伸部の本数、面積が多いため、電流広がり等が向上する一方で、透光性絶縁膜の面積増による発光面積低下があり、素子の出力が実施例２より僅かに低下する傾向にある。
【００４６】
具体的に比較すると、上記実施例１の検討例（実施例１Ａ〜Ｃ，１ａ〜ｃ）と同様に第２電極の第２層と透光性絶縁膜とを略同一領域の条件で、また第１電極は実施例１の検討例と異なり、図１に示すように透光性絶縁膜及び第１層を省略した構造とし、図１Ａ，３，４に示す上記実施例１と下記実施例２と下記実施例３の構造の発光素子をそれぞれ作製する。尚、透光性絶縁膜、第１層の膜厚は上記実施例１Ｂと同様に、２００nm、２０nmとし、また基板も上記実施例１Ｂと同様に表面平坦な基板を使用する。このようにして作製される発光素子を上記実施例１の検討と同様に、図９Ｂの砲弾型ランプの発光装置200で評価すると、下表２に示すような特性の素子が得られる。
【００４７】
【表２】
2008192710.tif 000004
【００４８】
この評価から、透光性絶縁膜を電流阻止部とすることで、図３の例のように電極延伸部44が２本では、図４，１Ａの９本、４本に比してＶｆが高くなる傾向が観られ、これは上記透光性導電膜の薄膜化によるシート抵抗増の影響と考えられる。他方、延伸部の本数、面積増は、透光性絶縁膜の面積増、発光面積低下にとなるため、図３と４の例では同程度の光出力、電力効率となり、その中間に当たる図１Ａの例では、それらに比して、高い光出力、電力効率となる。このように、透光性導電膜の薄膜化に伴って、電極形状、特に第２層、その延伸部の形状等、それに伴う透光性絶縁膜の形状・面積、を考慮して素子構造を作製すると良いことが分かる。
【００４９】
（実施例２）
上記実施例１において、図３に示すように、幅約３μｍの延伸部44が９本の第２層42を有する構造として、その他は同様な構造、寸法の発光素子とする。
第１層の膜厚を、それぞれ２０nm（実施例２Ａ）、４０nm（実施例２Ｂ）、１７０nm（実施例２Ｃ）と、その各例２Ａ〜２Ｃの平坦な基板を図２に示すような凹凸構造の基板とする構造（実施例２ａ〜２ｃ）とする他は、上記表２の図３の例と同様に発光素子を作製し、発光装置で評価すると、下表３のような特性の素子が得られる。尚、比較の為に、下記比較例３及び３′（図４の例で透光性絶縁膜を省略した構造）の各特性も同様に示す。更に、別の検討例として、上記実施例２Ａと同様の実施例２Ａ′と、その比較例２Ａとして、実施例２Ａ′の透光性絶縁膜を省略した構造の素子を作製して、その素子チップを評価すると、下表３のような特性の素子が得られる。ここで、表４中のλｐはピーク波長であり、他は表１〜３と同様である。
【００５０】
【表３】
2008192710.tif 000005
【００５１】
上記の通り、比較例３（３′）に比して、実施例２Ａ（２ａ），２Ｂ（２ｂ），２Ｃが高出力、高電力効率となり、実施例２ｃでは低出力、低電力効率となる。尚、透光性導電膜（屈折率ｎ２＝２．００）の波長、１／２波長、１／４波長で各導電膜の膜厚、それと保護膜（２００ｎｍ）の膜厚の和を比較すると、
実施例２Ａ（２ａ）＜実施例２Ｂ（２ｂ）＜λ／２ｎ２＜実施例２Ｃ（２ｃ）＜λ／ｎ２、
更には、実施例２Ａ＜実施例２Ｂ＜λ／４ｎ２、３λ／４ｎ２＜実施例２Ｃ、
実施例２Ａの和＜λ／ｎ２＜実施例２Ｂの和＜３λ／２ｎ２＜実施例２Ｃの和＜７λ／４ｎ２
となる。
【００５２】
【表４】
2008192710.tif 000006
【００５３】
上記の通り、比較例２Ａに比して、実施例２Ａ′はＶｆが同程度で、出力が約３％向上し、電力効率も向上する。
【００５４】
〔実施の形態３〕
実施の形態３としては、実施の形態２、実施例２において、第２電極（ｐ電極）の延伸部44の形状を図４に示すようなものとして、延伸部の本数を４本（実施例２）から２本とし、その延伸部（第２層）及び電極形状に対応する透光性絶縁膜18を設け、第1電極の第２層を図７に示すように透光性絶縁膜17に内包されるように設け、素子周縁の露出領域21sを幅広とする他は実施例２と同様な略正方形（□３２０μｍ）の発光素子を作製する。尚、延伸部44の本数が減ったことに伴い、その幅を図１，３の例より幅広、実施例３では約２０μｍ、としている。
この発光素子では、電極延伸部の本数が少ないことにより、素子領域に占める透光性絶縁膜18の面積が小さくなり、発光面積が大きくなるが、電極延伸部44の本数減、その周縁部の面積減により、電流広がりが低下する傾向にあり、出力が低下する傾向にある。
【００５５】
尚、図４に示すように、この実施の形態では、第１電極にも、第２電極同様の絶縁膜形成領域、その構造を有しており、具体的には第１電極30にも透光性絶縁膜17を介在して、第２層32及び第２層32と絶縁膜17との間に設けられる第１層延在部を備えた構造としている。このように、本発明において、第２電極同様の構造を、第１電極にも適用でき、この組み合わせた構造により、より高出力、高効率、高電力効率の素子が得られる。
【００５６】
（実施例３）
上記実施例２において、図４に示すような電極形状とする他は、同様にして発光素子を作製する。また、その比較例３として、実施例３に比して、透光性絶縁膜を省略した構造とする。尚、図４に示す、第１電極30に透光性絶縁膜17を介在して、第２層32及び第１層延在部を備える構造と異なり、この例では実施例１同様に、Ｔｉ／Ｒｈ／Ａｕのｎ電極で図中の第１層同様な形状として形成する。
【００５７】
〔実施の形態４〕
実施の形態４としては、図８に示すように、発光構造25の内部に、電極形成領域21e及び第１電極30が２つ設けられた構造を有し、複数の発光構造部25の間にそれぞれ第１電極が配置された発光構造を有している。従って、長手形状の発光構造部25A〜B、具体的には内側発光構造部25Aと２つの外側発光部25B、が、その幅方向に第1電極30（形成領域21e）と交互に配置された構造となっており、第１，２電極30,40は、幅広な外部接続部33,43と、そこから長手方向に延伸する幅の狭い延伸部34, 44を有する構造となっている。これにより、長手形状の各発光構造部25A〜Bに対して、並設された第１電極30、主にその延伸部34を有する構造とでき、好適な電流広がり、発光を実現できる構造となっている。ここで、図８Ａは、発光素子の平面図の概略であり、図８Ｂは図８Ａの素子の一部領域のＡＡ断面図の概略である。また、この例の発光素子の寸法は、素子外形が□800μｍ（800μｍ角）であり、各電極の外部接続部など他の構造物の寸法は、素子の大きさに関わる発光構造及びそれに伴う延伸部を除いて、上記各例と同様な寸法で形成できる。
【００５８】
この例では、上述の例（図１，３，４）とは異なり、電極形成領域21eが、外周全域を発光構造に囲まれた構造となっており、また、電極構造も外部接続部33を基点として、発光構造部25A-Bの長手方向に延伸する延伸部34を有する構造となっている。また、第2電極40（その上層42）も同様に、各発光構造部の長手方向に延伸する延伸部44を、第１電極・その延伸部に、上記交互に配置される発光構造部25A-Bを挟んで対向して配置される。
【００５９】
この例においても、本発明の電極構造は好適に機能し、上記実施形態３と同様に、閉塞した電極形成領域22eにおいても、発光構造部に囲まれた露出部21sの電極形成領域21eにおいて、好適な光反射構造とでき、この領域以外からの光取り出しを好適になし得る構造とできる。この構造のように、各電極及びその延伸部若しくは外部接続部、発光構造部が複数設けられる発光素子構造でも本発明は好適に適用される。
【００６０】
以下、上記各実施の形態及び本発明における各構成に詳述するが、これに限らず、各構成を適宜組み合わせる応用も可能である。また、各実施の形態、及びそれに開示された各構成、態様についても同様に適宜組み合わせることができる。
【００６１】
〔半導体構造・素子構造・発光構造〕
発光素子構造は、図１などに示すように、基板上に半導体構造20、特に各層が積層された積層構造が設けられてなるが、基板を除去するなど、基板の無い、加えて下記下地層など素子能動領域外の層の無い構造、半導体基板など基板中に導電型領域を設けるなどして基板を含む素子領域・構造とすることもできる。発光構造25は、図１の例では、第１，２導電型層21, 23とその間の活性層22が設けられた構造として示すように、半導体構造20による発光領域が設けられた構造となり、更に同一面側に第１，２電極30, 40を設ける電極構造を備える。この電極構造では、基板面内の素子領域内に第１電極30若しくは第１導電型層露出領域21sと、発光構造25の領域とが少なくとも半導体構造に配置された構造となる。この電極配置と異なり、半導体構造を挟んで対向する主面、それぞれ第１，２電極を設ける構造としても良い。発光構造25としては、このような活性層若しくは発光層を第１，２導電型層の間に設ける構造が好ましいが、その他にｐ−ｎ接合部を発光部とする構造、ｐ−ｉ−ｎ構造、ｍｉｓ構造、などの発光構造とすることもできる。また、素子構造中、若しくは各導電型層中に、一部半絶縁・絶縁性、ｉ型層、逆導電型の層・領域が設けられていても良く、例えば電流注入域を制御する半絶縁・絶縁性，ｉ型層などで形成される電流阻止層・領域、電極との接合用の逆導電型で形成されるトンネル層などが設けられた構造でも良い。
【００６２】
発光構造25となる半導体、例えば図１の具体例の窒化物半導体は、基板の上に、ＭＯＶＰＥ等の成長方法により形成される。窒化物半導体の成長基板としては、サファイア（Ｃ面、Ａ面、Ｒ面）、スピネル（ＭｇＡｌ２Ｏ４）、ＳｉＣ、ＮＧＯ（ＮｄＧａＯ３）基板、ＬｉＡｌＯ２基板、ＬｉＧａＯ３基板、若しくはＳｉ基板、ＧａＮ等の半導体基板、等が挙げられ、成長方法としては実施例で用いるＭＯＶＰＥ（有機金属気相成長法）、ＭＯＣＶＤ（有機金属化学気相成長法）の他に、ＨＶＰＥ（ハイドライド気相成長法）、ＭＢＥ（分子線エピタキシー法）等が挙げられる。好ましくは、基板としては、窒化物半導体と異なる材料の異種基板、更に好ましくは透光性基板、であることで、上記第１，２電極が同一面に形成された素子構造で、光取り出しに優れたものとできるためであり、具体例としては、サファイア基板、スピネル基板がある。光透過性の乏しい基板、例えば半導体基板、金属基板などは、基板と半導体との間に光反射層を設ける構造とすることもできる。また、窒化ガリウム系化合物半導体材料としては、一般式ＩｎｘＡｌｙＧａ１−ｘ−ｙＮ（０≦ｘ≦１、０≦ｙ≦１、０≦ｘ＋ｙ≦１）のものを、特に後述のようにその二元・三元混晶を好適に用いることができ、また、これに加えてIII族元素としてＢ、Ｖ族元素としてＮの一部をＰ、Ａｓで置換されたものを用いてもよい。また各導電型の窒化物半導体としては、ｎ型窒化物半導体はｎ型不純物として、Ｓｉ，Ｇｅ，Ｓｎ，Ｓ、Ｏ，Ｔｉ，Ｚｒ，ＣｄなどのＩＶ族元素又はＶＩ族元素等のいずれか１つ以上、好ましくはＳｉ，Ｇｅを添加し、ｐ型窒化物半導体層はｐ型不純物としてＭｇ，Ｚｎ，Ｂｅ，Ｍｎ，Ｃａ，Ｓｒ等を含有している。また、窒化物半導体以外に、ＧａＡｓ、ＧａＰ系化合物半導体、ＡｌＧａＡｓ、ＩｎＡｌＧａＰ、系化合物半導体などの他の半導体材料にも適用することができる。
【００６３】
〔電極・電極構造〕
発光素子100の電極は、上記例で示すように、発光構造上25t、第２導電型層表面23s上に設けられる第２電極40と、発光構造25から離間した第１導電型層21s上に設けられる第１電極30を有する。このように、半導体構造、基板10の同一面側、すなわち、半導体構造の一方の主面側に、各導電型の電極が設けられることが好ましい。これに限らず、半導体構造、それに加えて基板を有する構造で、それらの構造の対向する面上に各々電極が設けられる構造でも良い。この場合、上記例の半導体層の成長基板を研磨、LLO(Laser Lift Off)などで除去する形態を用いることができ、その成長基板が除去された半導体構造が別の担体となる部材を、基板に用いる形態でもよく、その際に担体部材と半導体構造間に他の層、例えば、導電性膜、光反射性膜、などが設けられる構造をとることもできる。
【００６４】
また、発光構造部25、露出部22s上の第１，２電極の下層側（第１層）は、オーミック接触用として、また、上記図１〜３、特に第２電極の例のように上層側よりも幅広、大面積で形成される場合は、電流拡散導体として機能させられる。また、第２電極では、発光構造部からの光取り出しを良好とするため、透光性導電膜が好ましく用いられるが、その他に光透過性の構造、例えば遮光性部材で多孔質状、格子状の構造など、を用いることもできる。他方、第１電極30の下層側の第１層31は、第１層の被覆領域が小さく、遮光性の第２層などで覆われることなどから光取り出し機能がほとんど無く、主にオーミック接触用として機能する。ここで、第１導電型半導体上に、露出領域21sと発光構造25が平面内に配置された構造では、上記拡散体としての第２電極の第１層41と異なり、面内への電流拡散導体は、発光構造下方の第１導電型半導体領域が主にそれを担う構造となり、実施の形態４で示す、第１電極30の延伸部34は、第２電極40の拡散導体の第１層と第２層延伸部との関係同様に、これを補完する機能とすることができる。尚、上記各実施の形態、及びその図の構造では、第２電極40が延伸部44を有する例しか示していないが、延伸部は無い構造としてもよく、例えば、上記各実施例より、小面積若しくは幅狭の発光構造表面若しくは素子であると、具体的には２５０μｍ以下の幅の素子などでは、省略可能である。
【００６５】
第１，２電極30,40の第１層31,41は、基板上に第１，２電極が設けられ電極形成側を主発光側とする発光素子構造においては、透光性の膜が形成される。透光性の導電膜、具体的に窒化物半導体のｐ側電極としては、ニッケル（Ｎｉ）、白金（Ｐｔ）パラジウム（Ｐｄ）、ロジウム（Ｒｈ）、ルテニウム（Ｒｕ）、オスミウム（Ｏｓ）、イリジウム （Ｉｒ）、チタン（Ｔｉ）、ジルコニウム（Ｚｒ）、ハフニウム（Ｈｆ）、バナジウム（Ｖ）、ニオブ（Ｎｂ）、タンタル（Ｔａ）、コバルト（Ｃｏ）、鉄 （Ｆｅ）、マンガン（Ｍｎ）、モリブデン（Ｍｏ）、クロム（Ｃｒ）、タングステン（Ｗ）、ランタン（Ｌａ）、銅（Ｃｕ）、銀（Ａｇ）、イットリウム（Ｙ） よりなる群から選択された少なくとも一種を含む金属、合金、積層構造、さらには、それらの化合物、例えば、導電性の酸化物、窒化物などがある。導電性の金属酸化物（酸化物半導体）として、錫をドーピングした厚さ５ｎｍ〜１０μｍの酸化インジウム（Indium Tin Oxide; ITO）、ＺｎＯ（酸化亜鉛）、Ｉｎ２Ｏ３（酸化インジウム）、またはＳｎＯ２（酸化スズ）、これらの複合物、例えばＩＺＯ（Indium Zinc Oxide）が挙げられ、透光性に有利なことから好適に用いられ、 光の波長などにより適宜材料が選択される。また、上記導電性材料のドーピング材料として、半導体の構成元素、半導体のドーパントなどを用いることもできる。
【００６６】
上記具体例で示すように、第１，２電極30, 40の透光性膜（第１層31、下層側）を同一材料・構造とすることが好ましく、更に同一工程で設けることが好ましく、量産性に富む電極構造とできる。同様に、第１，２電極30, 40の上層側に配される金属膜・反射性膜（第２層32,42、パッド電極、反射電極）も同一材料・構造、更には同一工程で設けることが好ましい。金属膜、反射性膜としては、上記群から選択される材料（群の一種を含む金属、合金、積層構造）を用いることができる。この第１，２電極の上層側の第２層・パッド電極は、多層膜構造とすることが好ましく、その構造としては、下層側から順に、反射層／パッド部・電流拡散用の金属層の少なくとも２層、好ましくは図５〜７に示すように反射層32-1(42-1)／バリア層32-2(42-2)／パッド部用の金属層32-3(42-3)の少なくとも３層を有する構造であることが各層の機能を好適に高めることができ好まく、図７に示すように後述する密着層などを含めた４層、図中の32-1〜32-4と42-1〜42-4、以上とすることもできる。反射膜としては、素子の発光に対し光反射率の材料であれば良く、具体的にはＡｇ、Ａｌ、Ｒｈ等が挙げられ、Ｒｈは安定して好適に用いられ、また透光性膜（第１層、下層側）との接触側に配置される。バリア層はその下層（反射層）・上層（表面層・パッド部）の拡散を防止、保護するようなものであれば良く、具体的な材料としては、Ｗ，Ｍｏなどの高融点材料や、白金族元素、Ｎｉ，Ａｕ等、好ましくはＰｔ，Ｗ，Ｍｏ，Ｎｉが好ましい。パッド電極用の材料としてはＡｕ，Ａｌがある。各層の膜厚は、特に限定されないが、０．０５〜５μｍで形成され、反射層は他の層（それより上層）に比して、薄膜に形成されることが好ましく、その上層のバリア層、パッド層は、反射層より比較的厚膜に形成される。また、上記各層は、単一膜である必要は無く、多層膜で構成されても良く、上記実施例５で示すように、上記各層間及び第１層との間に保護層、密着層、例えばＴｉ，Ｎｉなど、を介在させ、４層以上で構成しても良い。具体例としては、実施例５ではＮｉ介在層の上にＡｇ（反射）／Ｎｉ・Ｔｉ（密着）／Ｐｔ（バリア）／Ａｕ（表層）の他、Ｒｈ（反射）／Ｐｔ（バリア）／Ａｕ（表層）、Ａｌ（反射）／Ｐｔ（バリア）／Ａｕ（表層）、Ｔｉ（密着層）／Ｒｈ（反射）／Ｐｔ（バリア）／Ａｕ（表層）、Ａｌ（反射）／Ｗ（バリア）／Ｐｔ（バリア）／Ａｕ（表層）、Ｎｉ（密着層）／Ａｇ（反射）／Ｎｉ（密着・バリア）／Ｔｉ（密着層）／Ａｕ（表層）を、この順に積層した構造などがある。
【００６７】
ここで、第２層は、図５，６に示すように、製造上、断面が第1層側を幅広とする台形状とすることもでき、図に観るように、下層側の上面側面を覆うような上層を積層することで、第１電極の第２層に隣接する発光構造側面に対して上方にその発光構造側の側面が傾斜した構造であると、図７のような多層構造に比して、光の反射作用により指向性・軸上光度を高めることもでき好ましい。一方で、図７のように、断面矩形状、逆台形状（上面側が幅広な形状、下方に傾斜した側面）であっても良く、従来知られた製造方法、例えばマスク材料・形状、成膜条件により所望形状とできる。
【００６８】
第１層31(41)と第２層32(42)とは、第１層上の一部に設けられる構造として、種々の形態を採用することができる。例えば、第１層と第２層が一部で重なり合い、第２層が第１層の外側へ延在する形態、上述の実施の形態、図７，９などに説明する第１層に内包される形態、相互に分離する形態、延伸方向で短くする形態、などとでき、これらの形態における第１，２層の形成領域を反転した形態とすることもできる。
【００６９】
〔突起部・光学的構造部〕
上記電極30と発光構造25との間に、図７に示すように、突起部60などの光学的な機能、例えば傾斜した側面61,63、上面62などで反射，散乱，回折などの機能、を有する構造部、若しくは半導体構造の光取り出し部、基板表面などにそれを設けることで、光取り出し効率を向上でき好ましい。また、図２に示す基板10表面の凹凸構造11のように、半導体構造表面を凹凸とする構造が設けられていても良い。このような光学的な構造部としては、第１導電型半導体層露出表面21s上に、透光性の部材、例えば保護膜51などによる凹凸構造など、光吸収・損失の低い、透光性の材料で形成されることが好ましく、また、その面内における外形、配置は、円形状、楕円形状、四角・矩形状，平行四辺形状，三角形状，六角形状（蜂の巣状）、などの形状、配置が適宜選択され、高密度な配置がなされることが好ましく、断面形状は、上記第２層と同様に、台形・逆台形状、矩形状などの形状とできる。これら構造物（突起・凹・溝の各部）の平面の大きさとしては、幅０．５〜５μｍ、好ましくは１〜３μｍであると、好適に製造できる。
【００７０】
〔透光性部材50、保護膜51、封止部材・被覆部材52、透光性絶縁膜17,18〕
図１Ｂ〜Ｄ，２，３Ｂ，５，６などに示すように、各電極の外部接続部33, 43を開口させた開口部を設けて、他の素子領域のほぼ全面を覆う絶縁性の保護膜が形成されることが好ましい。また、後述の発光装置の例で示すように、発光素子は、素子若しくは半導体構造を覆う透光性部材50、例えば被覆部材52で覆われる形態、封止部材52で封止される形態、が好ましく、また上記半導体構造、特に電極形成面側に設けられる保護膜51を少なくとも有することが好ましく、図に示すように、保護膜51とその外部を覆う被覆部材52とを少なくとも有する透光性部材50であることが更に好ましい。保護膜は、素子構造側を主光取り出し側とする際には、透光性材料で形成される。また、開口部の形状は、図１Ｂ〜Ｄ，２に示すように、電極上面、具体的には第２層、の一部（外部接続部）が開口される形状であっても良く、図５，６に示すように電極の下層側（透光性の第１層）を覆い、開口部内などに、保護膜端部から離間して電極の上層側（第２層）が設けられる形態でも良く、比較的薄膜で形成される下層側の透光性を覆う形態、特に本発明においては、第１層被覆領域を少なくとも覆う形態であることが好ましく、更に好ましくは絶縁膜端部、その外縁部若しくはその薄膜部61,62、又は上記被覆領域と絶縁膜領域との境界領域を少なくとも覆う形態とする。保護膜材料としては、従来知られたもの、例えば、珪素の酸化物・窒化物、アルミニウム、ニオブの酸化物、上述した誘電体膜など、発光素子の光・波長に応じて、適宜透光性の良い、所望の屈折率、消衰係数、好ましくはｋ＝０、の材料を用いると良い。膜厚としては、０．１〜３μｍ程度、好ましくは、０．２〜０．６μｍ程度で形成される。
【００７１】
また、本発明において、上述した各透光性膜、具体的には第１層、透光性絶縁膜透光性部材、保護膜、封止・被覆部材、と、半導体構造との屈折率の関係は、少なくともｎｓ＞ｎ２、であることで上述した良好な反射構造とでき好ましい。ここでｎｓは半導体構造、特にその絶縁膜形成表面（21s,23s,25t）付近、の屈折率、ｎ２は透光性絶縁膜の屈折率であり、また下記ｎ３は透光性部材（保護膜等）、特に保護膜、の屈折率である。また、ｎｓ＞ｎ３であること、特に第１層被覆領域の保護膜であること、で上述した被覆領域における好適な光反射構造とでき好ましい。更には、ｎ１＞ｎ３であることで上記反射領域における第１層と保護膜との混在構造で、好適な反射構造とでき好ましい。
【００７２】
また、上記実施例、実施の形態４などに示すように、透光性部材を半導体構造に設ける保護膜（屈折率ｎ３A）と、ｎ３A＞ｎ３Bであることで、第１層からの外部への好適な屈折率分布が光路上に形成され、また、本発明の反射構造における反射領域上端付近の保護膜と封止・被覆部材界面近傍でも好適な反射とでき、好ましい。別の観点からは、｜ｎｓ−ｎ１｜＜｜ｎｓ−ｎ２，３｜、の場合にさらに好ましく、更にはｎ１＞ｎ２＞ｎ３であることが好ましい。これにより、全反射角適度に調整でき、反射領域の反射率を高めることができ、具体的には光取り出し窓部領域の第１層被覆領域ではその上の保護膜と半導体構造との境界で、透光性絶縁膜の光反射領域に比して、好適な光取り出しが実現される。
【００７３】
他方、透光性絶縁膜は上記保護膜と同様な材料を用いることができる。また、膜厚としては特に限定されないが、例えば、１０ｎｍ〜１μｍ程度、光反射機能としては、低屈折率の膜を実施例２に示すように２００ｎｍ以上とすることが好ましい。尚、絶縁膜の上、具体的には絶縁膜と第２層との間若しくは絶縁膜表面に上述した反射構造として、金属反射膜を設けることもでき、上述したように、第２層の最下層（32-1、42-1）にその反射機能を付与することもできる。
【００７４】
〔電極構造の別の態様〕
ここで、図５〜７を用いて、本発明の他の構成、若しくは各構成、部材の別形態について、説明する。尚、図５〜７は、本発明の発光素子における一部分の断面を示す概略図であり、特に発光構造部25、及びそれに隣接する露出部21s、その内部に設けられる第１電極形成領域21e、などを説明している。
【００７５】
また、図５〜７に示すように、透光性絶縁膜が、その端部で膜厚が小さく、それより内側で膜厚が大きいような構造とすることもでき、その端部近傍における上層の第１層、第２層、保護膜との密着性が向上するため好ましい。具体的には、断面において少なくとも一方の端部、好ましくは両端部、電極形成面内において外縁の少なくとも一部、好ましくは全外周にその薄膜部が設けられることで、その上層、特に図６，７に示すように、絶縁膜上と電極が設けられる各導電型半導体層表面との段差に跨って架かる第１層の被覆領域近傍（図６，７）、第２層の被覆部と延設部との間、特に第１電極の場合（図６）において、更には上記実施の形態５のように複数の絶縁膜開口部に架かる第２層若しくは第１層を有する形態において、その効果を好適に発揮でき好ましい。また、図７のように、第１層の被覆領域に離間した第２層である場合には、上記段差における分断を回避でき好ましい。また上述した第１層被覆領域と絶縁膜形成領域との間の境界領域における光学的な分布をなだらかにでき、好ましい。また、このような薄膜部は、マスクの端面傾斜によるリフトオフ、マスク端部近傍下へのオーバーエッチングなど、により、形成できる。
【００７６】
本発明において、上記各実施の形態、実施例では、電極の下、具体的には第２層若しくは第１層と半導体構造との間、に透光性絶縁膜を設ける形態を主に説明したが、図５に示すように、透光性絶縁膜と半導体構造、特に絶縁膜と発光構造部25、との間に介在する第１層（介在領域）を設けることもできる。この構造について具体的に説明すると、図５に観るように、上記第１層の介在部において、各導電型層との接触抵抗、外接触部と同程度として、介在部及び外接触部の両方を電流注入部、発光構造部上においては発光領域とすることもでき、接触抵抗を外接触部より高くしてその外接触部に比して電流抑制部、発光構造部における弱発光領域とすることも、更に高くして電流阻止部、発光構造部における非発光領域とすることもできる。この様な構造は、例えば電極形成面に対向する面側を光取り出し側とする素子において好適に利用でき、前者の電流注入部（発光領域）とすることで、露出部においてはその一方、好ましくは両側に隣接する発光構造部へ好適な電流注入とでき、発光構造部上においてはその全体を発光領域とできるため、少なくとも一方、好ましくは第２電極（発光構造部）側、更に好ましくは両側を電流注入部とすることが好ましい。
【００７７】
このような第１層41(31)、特にその被覆領域、介在領域における接触抵抗の制御は、上述した実施例１の製造方法で説明するように、電極の熱処理アニールにより制御できる。具体的には、上記例では、発光構造部側のｐ側層上では、第１層を覆う電極（第２層）、透光性絶縁膜を被覆後に熱処理することで、その被覆から露出された領域（第１層被覆領域）で、その被覆領域（第１層介在領域）より、好適な接触抵抗低減が可能となり、例えば、第１層被覆領域より、介在領域の第１層の接触抵抗を高くして、上記電流制御構造とすることができる。他方、第１層成膜時に、全領域を露出された領域として熱処理することで、面内で略均一な接触を実現でき、その上に、上記電極、絶縁膜等の被覆領域を形成することで、介在領域を含めた第１層形成領域を電流注入領域とする構造が得られる。露出部側のｎ側層上では、第１層を覆う電極（第２層）、透光性絶縁膜を被覆後に熱処理することで、その被覆領域で、そこから露出された領域より、好適な接触抵抗低減が可能となり、図５に示す第２層延設部領域が、そこから露出した第１層被覆領域より、好適な低減が可能となり、これを利用して種々の電流制御構造を形成できる。
【００７８】
また、図５〜７に、また図２，４などにも示すように、上述した第２電極の反射構造を、第１電極にも適用することができる。この時第２層32は、例えば図２，６，７に示すように、第１層被覆領域31cから離間して形成する場合と、図５に示すように、上記絶縁膜の外側で、第２層32が第１層被覆領域31cの上に延設された第２層の延設部32pが設けられた構造とできる。この延設部32cを有することで、第１導電型層と好適なオーミック接触とでき、接触抵抗、順方向電圧を低減できる。他方、第２電極の場合には、延設部を有さず、第１層被覆領域41cから離間する形態、好ましくは絶縁膜に内包され、絶縁膜端部から離間される形態で、オーミック接触に有利な構造とでき、また上述した発光構造部上における光取り出し構造に適している。
【００７９】
第２層の絶縁膜を被覆する被覆部32cは特に限定されないが、図１に観るように、その上に外部接続部33を設ける場合には、外部接続部は他の部分、例えば図８に観る電極延伸部34など、に比して断面幅広に形成され、大きな面積を必要とするため、被覆部上に外部接続部を設けることが好ましく、これは幅広、大面積の外部接続部において好適な光反射がなされ、また、外部接続時の耐衝撃性、下層の第１層、透光性絶縁膜との密着性に優れるためである。この点について第２電極も同様である。
【００８０】
また基本的な構造は、上述したとおり、第１，２電極に共通に、第１層と第２層は相互に少なくとも一部が重なり合い、電気的に接続され、第２層と透光性絶縁膜もまた相互に少なくとも一部が重なり合うように設けられる構造である。ここで、これに加えて図２，４〜７の例では、透光性絶縁膜の上で、第１層延在部(31e,41e)と第２層被覆部(32p,42p)が相互に少なくとも一部が重なり合うことが、密着性、電気特性上好ましい。この場合、第２層が、絶縁膜と第１層とに接触して被覆する形態、例えば図５の形態若しくは絶縁膜上の第１層延存部が開口してその両者を被覆する第２層の形態、より、いずれか一方のみを被覆する形態の方が、異種材料の界面を１つとでき好ましく、更に第１層上のみに第２層が形成される方がより好ましい。また、透光性絶縁膜の外側に延在する電極の各層は、少なくとも透光性絶縁膜で、断面における片側若しくは電極形成面内における外周の一部に延在する電極部、好ましくは断面の両側若しくは外周の略全部に延在する電極部、特に第１層の被覆領域を設けること、更には絶縁膜上の延在部に延在される形態とすること、が好ましい。
【００８１】
〔実施の形態６〕
以上の発光素子100を搭載する発光装置200について説明すると、図９Ａ，Ｂに示すように、実装用の基体・領域201の発光素子実装部173に発光素子100が載置された構造となる。実装基体として例えば、発光素子用、受光素子用のステム（図９Ｂの210）、平面実装用セラミック基板、プラスチック基板等が挙げられる。具体的にはＡｌＮからなる実装基体、金属性の実装基体を用いると放熱性の高い発光装置を得ることができ好ましい。半導体発光素子が実装される実装面173は金属材料からなることで、発光素子外に取り出された光を反射し、好適な光指向性の発光装置とすることができる。実装面などの発光素子が載置され、光が到達する装置内部の表面、反射面203では、金属材料が例えばリード電極210などに用いられ、その金属材料は本発光装置の発光波長の光を高反射率で反射することのできる金属材料が好ましい。具体的には、Ａｇ、Ａｌ、Ｒｈ等が挙げられ、鍍金被膜など形成される。発光装置の例は、図９に示すように、装置の基体・筐体２２０に設けられた素子実装部173に接着層160を介して、第２の主面に反射層などのメタライズ層（図示せず）、共晶ハンダ、接着層180を設けた半導体発光素子100を熱圧着などで実装して、各電極にワイヤ250などで、発光装置200のリード電極210(a,b)とそれぞれ接続して、発光素子を封止部材230で封止した構造を有している。尚、図中の符号122〜124、110は、上記発光素子の各層22〜23及び基板10に相当する。図９Ａでは発光装置200の基体220に各電極リード210が貫入されて、発光素子が載置される領域に露出されて、その電極接続部にワイヤ250で電気的に接続された構造となっており、更に、その露出領域を発光素子と共に封止する透光性の封止部材230(50)、若しくは気密封止などにより封止された構造を有する。気密封止の場合は、上記透光性部材が、前記保護膜だけで構成されても良い。図９Ｂの例では、封止部材230が装置の基材を兼ねた構造となっている。封止部材としては、エポキシ樹脂、シリコーン樹脂、フッ素樹脂などの耐候性に優れた透明樹脂や硝子などが用いられ、上記発光素子を被覆する被覆部材も同様な材料が用いられ、接着部材180にはこれらの樹脂材料の他、共晶ハンダなどの半田，共晶材料、Ａｇペーストなどが用いられる。
【００８２】
また、基板の半導体構造に対向する面側にメタライズ層として、反射層を設けても良い。反射層は設けることで、光の反射性が向上する傾向にあり、好ましく、基板の第２の主面が露出した発光素子でも良い。尚、接着部材は、基板のメタライズ層に、基板側接着層として設ける形態でも良い。
【００８３】
また、発光装置の封止部材230、発光素子を被覆する被覆部材、透光性部材中など、発光装置200の発光素子から装置の出射口、例えば図９のレンズ部、との間の光路上に、発光素子の光を少なくとも一部変換する光変換部材を有して、種々の発光色を得ることもできる。光変換部材としては、青色LEDの白色発光に好適に用いられるＹＡＧ系蛍光体などのアルミン酸塩蛍光体、近紫外〜可視光を黄色〜赤色域に変換する窒化物蛍光体、珪酸塩蛍光体などが挙げられる。特に、高輝度且つ長時間の使用時においてはＹＡＧ・ＴＡＧなどのガーネット構造の蛍光体、例えば（Ｒｅ1-xＳｍx）3（Ａｌ1-yＧａy）5Ｏ12：Ｃｅ（０≦ｘ＜１、０≦ｙ≦１、但し、Ｒｅは、Ｙ，Ｇｄ,Ｌａ，Ｔｂなど、が好適に用いられる。窒化物系蛍光体、オキシナイトライド蛍光体としては、Ｓｒ−Ｃａ−Ｓｉ−Ｎ：Ｅｕ、Ｃａ−Ｓｉ−Ｎ：Ｅｕ、Ｓｒ−Ｓｉ−Ｎ：Ｅｕ、Ｓｒ−Ｃａ−Ｓｉ−Ｏ−Ｎ：Ｅｕ、Ｃａ−Ｓｉ−Ｏ−Ｎ：Ｅｕ、Ｓｒ−Ｓｉ−Ｏ−Ｎ：Ｅｕなどがあり、一般式ＬＸＳｉＹＮ（２／３Ｘ＋４／３Ｙ）：Ｅｕ若しくはＬＸＳｉＹＯＺＮ（２／３Ｘ＋４／３Ｙ−２／３Ｚ）：Ｅｕ（Ｌは、Ｓｒ、Ｃａ、ＳｒとＣａのいずれか。）で表される。また、これらの蛍光体、他の蛍光体などを適宜用いることにより、所望の発光色の発光装置とすることができる。
【産業上の利用可能性】
【００８４】
本発明の半導体発光素子は、ディスプレイ、光通信やＯＡ機器の光源に最適な紫外域光から赤色光を発光する発光ダイオードや若しくはこれ以外の波長域の電磁波出射の半導体装置、これを用いたディスプレイ、照明等に好適に利用できる。
【図面の簡単な説明】
【００８５】
【図１Ａ】本発明の一実施形態に係る発光素子の平面概略図。
【図１Ｂ】図１ＡのＡＡ断面における断面概略図。
【図１Ｃ】図１ＡのＢＢ断面における断面概略図。
【図１Ｄ】図１Ｂの一部（丸囲み部分）を拡大する部分拡大断面概略図。
【図１Ｅ】図１Ｄの変形例に係る断面概略図。
【図２】本発明の一実施形態に係る発光素子の断面概略図。
【図３】本発明の一実施形態に係る発光素子の平面概略図。
【図４】本発明の一実施形態に係る発光素子の平面概略図。
【図５】本発明の一実施形態に係る発光素子の一部の断面概略図。
【図６】本発明の一実施形態に係る発光素子の一部の断面概略図。
【図７】本発明の一実施形態に係る発光素子の一部の断面概略図。
【図８Ａ】本発明の一実施形態に係る発光素子の平面概略図。
【図８Ｂ】図５ＡのＡＡ断面における断面と、その一部を拡大した部分拡大の概略図。
【図９Ａ】本発明の一実施形態に係る発光装置の断面概略図。
【図９Ｂ】本発明の一実施形態に係る発光装置の断面概略図。
【図１０】本発明の一実施形態に係る発光素子の第１層と出力特性との関係を説明する図。
【符号の説明】
【００８６】
10：基板，11：凹凸構造、20：半導体構造・積層構造，21：第1導電型層（n型層）（21s：第1導電型層，22e：電極形成領域），22：活性層（発光層），23：第2導電型層（ｐ型層）、25：発光構造部（255：発光構造表面（電極側））、30：第１電極，31：第１層（31c：被覆領域，31e：延在部），32：第２層（32p：延設部）、33：外部接続部，34：延伸部、40：第２電極，41：第１層（41c：被覆領域，41e：延在部），42：第２層（42p：延設部），43：外部接続部，44：延伸部、50：透光性部材，51：保護膜，52：封止部材・被覆部材、60：突起部（61：電極側の側面，62：上面，63：発光構造側の側面，26p：素子構造溝部）、70：光反射領域，媒質境界領域
【図１Ａ】
2008192710.tif 000007
【図１Ｂ】
2008192710.tif 000008
【図１Ｃ】
2008192710.tif 000009
【図１Ｄ】
2008192710.tif 000010
【図１Ｅ】
2008192710.tif 000011
【図２】
2008192710.tif 000012
【図３】
2008192710.tif 000013
【図４】
2008192710.tif 000014
【図５】
2008192710.tif 000015
【図６】
2008192710.tif 000016
【図７】
2008192710.tif 000017
【図８Ａ】
2008192710.tif 000018
【図８Ｂ】
2008192710.tif 000019
【図９Ａ】
2008192710.tif 000020
【図９Ｂ】
2008192710.tif 000021
【図１０】
2008192710.tif 000022
【手続補正書】
【提出日】平成19年2月23日(2007.2.23)
【手続補正１】
【補正対象書類名】図面
【補正対象項目名】図２
【補正方法】変更
【補正の内容】
【図２】
2008192710.tif 000023
【手続補正２】
【補正対象書類名】図面
【補正対象項目名】図３
【補正方法】変更
【補正の内容】
【図３】
2008192710.tif 000024